(57)【特許請求の範囲】
【請求項１】
上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替えるためのメーターボックスの支軸交換方法であって、
突出状の挿入部を有する交換用支軸を用いるものであり、
前記支軸を除去する工程Ａと、
交換用支軸を、支軸が設けられていた支軸位置に配置したときに該交換用支軸の挿入部が挿入される穿孔を、筐体の壁面に設ける工程Ｂと、
前記交換用支軸の挿入部を前記穿孔に挿入して、前記交換用支軸を筐体に固定する工程Ｃと
を含む
ことを特徴とするメーターボックスの支軸交換方法。
【請求項２】
穿孔を設ける位置に対応する穿孔予定部が視認可能に設けられている交換用治具を用いるものであり、
工程Ｂは、
前記交換用治具を筐体の壁面に当接させて位置決めすることで、前記交換用治具を前記筐体における所定の作業位置に固定し、前記作業位置に固定されている交換用治具に設けられた前記穿孔予定部に基づいて該穿孔予定部に対向する筐体の壁面に穿孔を設けることを含む
請求項１に記載のメーターボックスの支軸交換方法。
【請求項３】
前記工程Ｃにおいて、交換用治具を、筐体における所定の作業位置に固定したまま、交換用支軸を、穿孔に挿入して筐体に固定する
請求項２に記載のメーターボックスの支軸交換方法。
【請求項４】
上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替えるためのメーターボックスの支軸交換方法であって、
突出状の挿入部を有する交換用支軸と、
交換用支軸の挿入部が挿入される穿孔を設ける位置に対応する穿孔予定部が視認可能に設けられている交換用治具と、
を用いるものであり、
前記交換用治具を筐体の壁面に当接させて位置決めすることで、前記交換用治具を前記筐体における所定の作業位置に固定する工程Ｄと、
前記作業位置に固定されている交換用治具に設けられた前記穿孔予定部に基づいて該穿孔予定部に対向する筐体の壁面に穿孔を設ける工程Ｅと、
前記交換用支軸の挿入部を前記穿孔に挿入して、前記交換用支軸を筐体に固定する工程Ｆと
を含む
ことを特徴とするメーターボックスの支軸交換方法。
【請求項５】
前記工程Ｆにおいて、交換用治具を、筐体における所定の作業位置に固定したまま、交換用支軸を、穿孔に挿入して筐体に固定する
請求項４に記載のメーターボックスの支軸交換方法。
【請求項６】
上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替える際に用いられるメーターボックスの支軸交換セットであって、
突出状の挿入部を有した交換用支軸と、
前記挿入部が挿入される穿孔を設ける位置に対応する穿孔予定部が視認可能に設けられている交換用治具と、
を含み、
前記交換用治具は、筐体の壁面に当接されて所定の作業位置に固定されてなり、
前記交換用支軸は、前記交換用治具の穿孔予定部に基づいて該穿孔予定部に対向する筐体の壁面に形成された穿孔に前記挿入部が挿入されて、支軸が配置されていた支軸位置に固定されてなる
ことを特徴とするメーターボックスの支軸交換セット。
【請求項７】
交換用治具が筐体における所定の作業位置に固定されたまま交換用支軸が穿孔に挿入されて筐体に固定される構成であって、
前記交換用治具の前記交換用支軸側の表面には、筐体に固定された前記交換用支軸を下から支持する支持部が設けられている
請求項６に記載のメーターボックスの支軸交換セット。
【請求項８】
上面が開口した筐体、及び筐体に設けられた支軸を中心に回動自在に取り付けられることで前記開口を開放又は遮蔽する蓋体を具備し、前記蓋体の上面が地面に露出するような状態で埋設されるメーターボックス、
並びに、
突出状の挿入部を有した交換用支軸と、前記挿入部が挿入される穿孔を設ける位置に対応する穿孔予定部が視認可能に設けられている交換用治具と、を含み、前記交換用治具は、筐体の壁面に当接されて所定の作業位置に固定されてなり、前記交換用支軸は、前記交換用治具の穿孔予定部に基づいて該穿孔予定部に対向する筐体の壁面に形成された穿孔に前記挿入部が挿入されて、支軸が配置されていた支軸位置に固定されてなるメーターボックスの支軸交換セット
を含むことを特徴とするメーターボックスセット。
【請求項９】
交換用治具が筐体における所定の作業位置に固定されたまま交換用支軸が穿孔に挿入されて筐体に固定される構成であって、
前記交換用治具の前記交換用支軸側の表面には、筐体に固定された前記交換用支軸を下から支持する支持部が設けられている
請求項８に記載のメーターボックスセット。
【請求項１０】
上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスの製造方法であって、
支軸が設けられていない箱部材に対して、突出状の挿入部を有する取付用支軸を用いるものであり、
取付用支軸を、支軸が設けられる支軸位置に配置したときに該取付用支軸の挿入部が挿入される穿孔を、箱部材の壁面に設ける工程Ｇと、
前記取付用支軸の挿入部を前記穿孔に挿入して、前記取付用支軸を箱部材に固定して筐体とする工程Ｈと
を含む
ことを特徴とするメーターボックスの製造方法。
【請求項１１】
取付用支軸の挿入部が挿入される穿孔を設ける位置に対応する穿孔予定部が視認可能に設けられている取付用治具を用いるものであり、
工程Ｇは、
前記取付用治具を箱部材の壁面に当接させて位置決めすることで、前記取付用治具を前記箱部材における所定の作業位置に固定し、前記作業位置に固定されている取付用治具に設けられた前記穿孔予定部に基づいて該穿孔予定部に対向する箱部材の壁面に穿孔を設けることを含む
請求項１０に記載のメーターボックスの製造方法。
【発明の詳細な説明】
【技術分野】
【０００１】
本発明は、地中に埋設された量水器が収容されるメーターボックスの支軸交換方法、メーターボックスの支軸交換セット、メーターボックスセット、及びメーターボックスの製造方法に関する。
【背景技術】
【０００２】
地中に埋設された量水器を地上から視認可能とするメーターボックスは、従来から広く使用されている。かかるメーターボックスは、メーターボックスの蓋の上面が地面に露出するような状態で埋設されており、その蓋を開くと、なかの量水器が容易に視認することができる構造となっている。
【０００３】
一般的に、例えば特許文献１〜特許文献５に開示されているような従来のメーターボックスにあっては、筐体と、筐体の上面に設けられた開口を開放又は遮蔽するための蓋体との開閉構造を有しており、その開閉構造としては、筐体の開口を形成する側壁から支軸が突設され、蓋体には軸受けとしての溝部が形成されており、該溝部内に支軸が挿通された状態で支軸を中心に蓋体が回動する構造が採用されている。
【先行技術文献】
【特許文献】
【０００４】
【特許文献１】実用新案登録第２５８１２４６号公報
【特許文献２】実用新案登録第２５１７０９１号公報
【特許文献３】実用新案登録第２５１７０７５号公報
【特許文献４】実公昭６３−６２７６号公報
【特許文献５】実開昭６０−１３０８４９号公報
【発明の概要】
【発明が解決しようとする課題】
【０００５】
しかしながら、長年使用していると、蓋体の円滑な開閉動作を維持するべく、新しい支軸に交換することが求められる場合がある。
【０００６】
このような場合には、メーターボックス全体を新品に交換することも考えられるが、筐体の周囲がコンクリートで固められていると、コンクリートを破砕してこの筐体を取り出し、そして新規の筐体を設置した後に再度コンクリートを打設する必要があり、交換に多大な手間とコストがかかってしまう。
【０００７】
そこで本発明は、メーターボックス全体を新品に取り替えるのではなく、支軸のみを交換することによって蓋体の開閉動作を適正化することのできるメーターボックスの支軸交換方法を提供することを目的とする。
【０００８】
また、別の本発明は、メーターボックスの支軸を交換することができるメーターボックスの支軸交換セットを提供することを目的とする。
【０００９】
さらに、別の本発明は、迅速に支軸を交換することができるメーターボックスセットを提供することを目的とする。
【００１０】
また、さらに別の本発明は、製造工程が簡素化されるメーターボックスの製造方法を提供することを目的とする。
【課題を解決するための手段】
【００１１】
本発明は、上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替えるためのメーターボックスの支軸交換方法であって、突出状の挿入部を有する交換用支軸を用いるものであり、前記支軸を除去する工程Ａと、交換用支軸を、支軸が設けられていた支軸位置に配置したときに該交換用支軸の挿入部が挿入される穿孔を、筐体の壁面に設ける工程Ｂと、前記交換用支軸の挿入部を前記穿孔に挿入して、前記交換用支軸を筐体に固定する工程Ｃとを含むことを特徴とするメーターボックスの支軸交換方法である。
【００１２】
かかる構成は、交換対象の支軸を除去した上で、新規の交換用支軸を支軸として設ける構成であるため、筐体全体を新品のものに交換する必要がなくなり、作業に伴う手間やコストを飛躍的に低減することができる。
【００１３】
また、穿孔を設ける位置に対応する穿孔予定部が視認可能に設けられている交換用治具を用いるものであり、工程Ｂは、前記交換用治具を筐体の壁面に当接させて位置決めすることで、前記交換用治具を前記筐体における所定の作業位置に固定し、前記作業位置に固定されている交換用治具に設けられた前記穿孔予定部に基づいて該穿孔予定部に対向する筐体の壁面に穿孔を設けることを含む構成が提案される。
【００１４】
かかる構成にあっては、前記交換用治具を用いて前記穿孔予定部を目安にして穿孔を行うことができるため、前記交換用支軸を固定する位置がずれてしまうおそれを抑制することができる。また、作業者は適正位置に迷いなく穿孔を穿つことができるため、作業を迅速に行うことができる。
【００１５】
さらに、前記工程Ｃにおいて、交換用治具を、筐体における所定の作業位置に固定したまま、交換用支軸を、穿孔に挿入して筐体に固定する構成も提案され得る。
【００１６】
かかる構成にあっては、前記交換用治具が前記筐体の壁面に当接された状態のままで、前記交換用支軸の挿入部を前記穿孔に挿入し、相互を固定する。したがって、交換用治具が交換用支軸の台座として機能することとなり、交換した箇所の強度が向上する利点がある。また、交換用治具を筐体から取り外す手間が省かれるため、全体として作業が迅速に行えるという利点がある。
【００１７】
また本発明は、上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替えるためのメーターボックスの支軸交換方法であって、突出状の挿入部を有する交換用支軸と、交換用支軸の挿入部が挿入される穿孔を設ける位置に対応する穿孔予定部が視認可能に設けられている交換用治具と、を用いるものであり、前記交換用治具を筐体の壁面に当接させて位置決めすることで、前記交換用治具を前記筐体における所定の作業位置に固定する工程Ｄと、前記作業位置に固定されている交換用治具に設けられた前記穿孔予定部に基づいて該穿孔予定部に対向する筐体の壁面に穿孔を設ける工程Ｅと、前記交換用支軸の挿入部を前記穿孔に挿入して、前記交換用支軸を筐体に固定する工程Ｆとを含むことを特徴とするメーターボックスの支軸交換方法である。
【００１８】
かかる構成とすることにより、筐体全体を新品のものに交換する必要がなくなり、作業に要する手間やコストを飛躍的に低減することができる。また、作業者は適正位置に迷いなく穿孔を穿つことができるため、作業を迅速に行うことができる。
【００１９】
また、前記工程Ｆにおいて、交換用治具を、筐体における所定の作業位置に固定したまま、交換用支軸を、穿孔に挿入して筐体に固定する構成も提案される。
【００２０】
かかる構成は、前記交換用治具が前記筐体の壁面に当接された状態のままで、前記交換用支軸の挿入部を前記穿孔に挿入し、相互を固定する。したがって、交換用治具が交換用支軸の台座として機能することとなり、交換した箇所の強度が向上する利点がある。また、交換用治具を筐体から取り外す手間が省かれるため、全体として作業が迅速に行えるという利点がある。
【００２１】
さらに本発明は、上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスにおける前記支軸を取り替える際に用いられるメーターボックスの支軸交換セットであって、突出状の挿入部を有した交換用支軸と、前記挿入部が挿入される穿孔を設ける位置に対応する穿孔予定部が視認可能に設けられている交換用治具と、を含み、前記交換用治具は、筐体の壁面に当接されて所定の作業位置に固定されてなり、前記交換用支軸は、前記交換用治具の穿孔予定部に基づいて該穿孔予定部に対向する筐体の壁面に形成された穿孔に前記挿入部が挿入されて、支軸が配置されていた支軸位置に固定されてなることを特徴とするメーターボックスの支軸交換セットである。
【００２２】
かかる構成は、交換作業を迅速に行うことができるため、熟練を要することなく容易に支軸の交換を実行することができる。
【００２３】
また上記構成に加えて、交換用治具が筐体における所定の作業位置に固定されたまま交換用支軸が穿孔に挿入されて筐体に固定される構成であって、前記交換用治具の前記交換用支軸側の表面には、筐体に固定された前記交換用支軸を下から支持する支持部が設けられている構成が提案される。
【００２４】
このように、新たに固定された交換用支軸が前記交換用治具によって下から支持されていると、交換した箇所の強度が向上するため、固定された交換用支軸に対して下向きの力が強く作用した場合にも当該交換用支軸が折れたり穿孔から抜け出てしまったりすることを防止できる。
【００２５】
またさらに本発明は、上面が開口した筐体、及び筐体に設けられた支軸を中心に回動自在に取り付けられることで前記開口を開放又は遮蔽する蓋体を具備し、前記蓋体の上面が地面に露出するような状態で埋設されるメーターボックス、並びに、突出状の挿入部を有した交換用支軸と、前記挿入部が挿入される穿孔を設ける位置に対応する穿孔予定部が視認可能に設けられている交換用治具と、を含み、前記交換用治具は、筐体の壁面に当接されて所定の作業位置に固定されてなり、前記交換用支軸は、前記交換用治具の穿孔予定部に基づいて該穿孔予定部に対向する筐体の壁面に形成された穿孔に前記挿入部が挿入されて、支軸が配置されていた支軸位置に固定されてなるメーターボックスの支軸交換セットを含むことを特徴とするメーターボックスセットである。
【００２６】
かかる構成とすることにより、支軸の交換を簡便かつ迅速に行うことができるメーターボックスを好適に提供することが可能となる。
【００２７】
また、交換用治具が筐体における所定の作業位置に固定されたまま交換用支軸が穿孔に挿入されて筐体に固定される構成であって、前記交換用治具の前記交換用支軸側の表面には、筐体に固定された前記交換用支軸を下から支持する支持部が設けられている構成が提案される。
【００２８】
かかる構成のように、新たに固定された交換用支軸が前記交換用治具によって下から支持されると、交換した箇所の強度が向上するため、固定された交換用支軸に対して下向きの力が強く作用した場合にも当該交換用支軸が折れたり穿孔から抜け出てしまったりすることを防止できる。
【００２９】
また、本発明は、上面が開口した筐体と、筐体に設けられた支軸を中心に回動自在に取り付けられることで前記開口を開放又は遮蔽する蓋体と、を具備し、前記蓋体の上面が地面に露出するような状態で埋設されるメーターボックスの製造方法であって、支軸が設けられていない箱部材に対して、突出状の挿入部を有する取付用支軸を用いるものであり、取付用支軸を、支軸が設けられる支軸位置に配置したときに該取付用支軸の挿入部が挿入される穿孔を、箱部材の壁面に設ける工程Ｇと、前記取付用支軸の挿入部を前記穿孔に挿入して、前記取付用支軸を箱部材に固定して筐体とする工程Ｈとを含むことを特徴とするメーターボックスの製造方法である。
【００３０】
かかる構成とすることにより、例えば箱部材の材料と支軸の材料とを異ならせた筐体を備えるメーターボックスを提供することが可能となる。
【００３１】
さらに、前記メーターボックスの製造方法では、取付用支軸の挿入部が挿入される穿孔を設ける位置に対応する穿孔予定部が視認可能に設けられている取付用治具を用いるものであり、工程Ｇは、前記取付用治具を箱部材の壁面に当接させて位置決めすることで、前記取付用治具を前記箱部材における所定の作業位置に固定し、前記作業位置に固定されている取付用治具に設けられた前記穿孔予定部に基づいて該穿孔予定部に対向する箱部材の壁面に穿孔を設けることを含む構成であることが望ましい。
【００３２】
かかる構成とすることにより、支軸の取付作業を迅速に行うことができる。
【図面の簡単な説明】
【００３３】
【図１】メーターボックスの外観斜視図である。
【図２】メーターボックスの支軸を示しており、（ａ）は部分拡大斜視図であり、（ｂ）は部分拡大断面図である。
【図３】交換用支軸を示しており、（ａ）は外観斜視図であり、（ｂ）は一部断面図である。
【図４】（ａ）は支軸の除去過程を示す部分斜視図であり、（ｂ）は支軸を除去した状態の筐体を示す部分斜視図である。
【図５】（ａ）は穿孔が形成された状態の筐体を示す部分斜視図であり、（ｂ）は交換用支軸を筐体に固定した状態を示す部分斜視図である。
【図６】交換用支軸が筐体に固定された状態を示す概要説明図である。
【図７】交換用治具の斜視図である。
【図８】（ａ）は交換用治具を装着した状態の筐体を示す部分斜視図であり、（ｂ）は穿孔を形成した状態の筐体を示す部分斜視図である。
【図９】交換用治具と交換用支軸とを装着した状態の筐体を示す部分斜視図である。
【図１０】交換用支軸と交換用治具とが装着された状態の筐体を示す概要説明図である。
【図１１】別例にかかる交換用治具の斜視図である。
【図１２】別例にかかる交換用支軸と交換用治具とが装着された状態の筐体を示す概要説明図である。
【図１３】別例にかかる交換用治具と交換用支軸とを装着した状態の筐体を示す部分斜視図である。
【発明を実施するための形態】
【００３４】
以下、本発明のメーターボックスの支軸交換方法、メーターボックスの支軸交換セット、メーターボックスセット、及びメーターボックスの製造方法を具体化した実施例を詳細に説明する。なお、本発明は、下記実施例に限定されることはなく、適宜設計変更が可能である。
【００３５】
〔実施例１〕
本実施例のメーターボックス１を図１，図２に従って説明する。
【００３６】
メーターボックス１は、上面が開口した略直方体箱形状の筐体１０を備えている。筐体１０は、対向する２面にそれぞれ水道管が挿通される水道管挿通孔１１，１１が設けられている。また、図２に示すように、上面の開口を形成している壁面のうち、対向する２面には、それぞれ円柱形状の支軸１２が突出状に一対差し出されている。
【００３７】
また、メーターボックス１には、図１に示すように、蓋体１３が備えられている。蓋体１３は、前記一対の支軸１２を中心に回動自在に取り付けられることで開口を開放又は遮蔽する機能を有する。筐体１０及び蓋体１３は、それぞれ合成樹脂の一体成形物で構成されている。
【００３８】
なお、蓋体１３が支軸１２を中心に回動自在に取り付けられる構造については周知の技術が適用されてよく、詳細な説明を省略する。また、便宜上、一対の支軸１２を結ぶ方向を筐体１０の左右方向とし、遮蔽状態の蓋体１３の基端と先端とを結ぶ方向を前後方向として説明する。
【００３９】
筐体１０における支軸１２近傍の構成について、図２等に従って説明する。なお、メーターボックス１には、一対の支軸１２が設けられているが、それぞれ対称形状であるため片方（図１において左側）の支軸１２についてのみ説明する。
【００４０】
筐体１０は、支軸１２が設けられている支軸形成壁面２２を有する支軸壁部２１を具備している。また、支軸形成壁面２２の上端部は、筐体１０の上面２３と略直角に交わっている。なお、上面２３は、メーターボックス１が地中に埋設された際には地表に露出する面となる。
【００４１】
また、支軸形成壁面２２の下端部は、蓋体支持受面２４と略直角に交わっている。ここで、蓋体支持受面２４は、蓋体１３が筐体１０の開口を閉塞した際に、蓋体１３に上側から加わる外力を筐体１０が受ける支持面であり、開口の周縁に沿って形成されている。
【００４２】
支軸形成壁面２２の後端部は、後端壁面２６と略直角に交わっている。後端壁面２６は、支軸形成壁面２２に設けられた支軸１２の突出方向と同じ方向（筐体１０の左右方向）に沿って形成されている。
【００４３】
次に、交換用支軸３０について、図３に従って説明する。
交換用支軸３０は、新たな支軸となるほぼ円柱形状の支軸本体３１を備えている。また、支軸本体３１の一端面からは、支軸本体３１よりも径小な円柱形状の埋設部３２が突出状に設けられている。
【００４４】
さらに、埋設部３２における支軸本体３１とは反対側の一端面からは、傘形状の抜け止め部３３が突出状に設けられている。さらに詳述すると、この抜け止め部３３は、埋設部３２よりも径小な芯部３４と、芯部３４の先端から埋設部３２側へ向かうに従って拡径するテーパ状の傘部３５と、を備えている。そして、埋設部３２と抜け止め部３３とによって、本発明にかかる挿入部３６が構成されている。なお、埋設部３２の軸線方向の長さは、筐体１０における支軸壁部２１の壁厚とほぼ等しくなるように設定されている。
【００４５】
次に、本実施例におけるメーターボックス１の支軸交換方法について説明する。
図４（ａ）に示したように、まず、支軸１２をサンドペーパーで研削するなどして除去する。なお、支軸１２を除去する場合には、図４（ｂ）に示したように支軸形成壁面２２から突出した部分が無くなればよく、過剰に精度の高い研削を行う必要はない。この支軸１２を除去する工程が、本発明の工程Ａに相当する。
【００４６】
その後、図５（ａ）に示したように、支軸形成壁面２２を含む支軸壁部２１に、公知の工具を用いて円形状の穿孔４１を設ける。ここで、穿孔４１を設ける位置は、交換用支軸３０の支軸本体３１が、支軸１２が設けられていた支軸位置と同じ位置に配置されるような位置である。なお、穿孔４１の径は交換用支軸３０の埋設部３２の径とほぼ同一のものとする。この穿孔４１を設ける工程が、本発明の工程Ｂに相当する。
【００４７】
そして、図５（ｂ），図６に示したように、交換用支軸３０の挿入部３６を穿孔４１に挿入する。具体的には、挿入部３６を穿孔４１に圧入することで、挿入部３６における抜け止め部３３の傘部３５が弾性変形しながら穿孔４１を通過し、そして傘部３５が支軸壁部２１における支軸形成壁面２２の裏面側に抜け出て弾縮状態が解除されると、傘部３５の先端が支軸壁部２１の裏面に当接して交換用支軸３０が穿孔４１から抜け出ることが規制される。これにより、交換用支軸３０が、筐体１０の支軸壁部２１に固定される。なお、交換用支軸３０の埋設部３２の外径を穿孔４１の内径と等しくし、かつ埋設部３２の軸線方向の長さを支軸壁部２１の壁厚と等しくし、さらには支軸本体３１と傘部３５との離間距離を支軸壁部２１の壁厚と等しくすることにより、交換用支軸３０が筐体１０に対してがたつきなく固定され、交換用支軸３０の支軸本体３１が新たな支軸として機能する。この交換用支軸３０を穿孔４１に挿入する工程が、本発明の工程Ｃに相当する。
【００４８】
このように、支軸１２を除去し、支軸壁部２１に穿孔４１を設け、交換用支軸３０を穿孔４１に挿入することにより、筐体１０そのものを交換することなく、支軸１２の交換を行うことができる。
【００４９】
〔実施例２〕
次に、実施例２について説明する。上記実施例１と同様の構成を有するものは同じ符号を付し、説明を省略する。
【００５０】
図７に示すように、交換用治具５０は、Ｌ字状に屈曲した板材からなり、二つの平面状の板部のうち一方の板部に穿孔予定部としての指標５１が視認可能に刻設されている。ここで、指標５１が設けられている板部が指標部５２とされ、指標部５２の裏面が、支軸形成壁面当接部５３とされている。
【００５１】
また、支軸形成壁面当接部５３と隣接した略直角に交わる平面が、上面当接部５４とされ、さらに、交換用治具５０の両側の側端部が後端壁面当接部５５とされている。
【００５２】
支軸１２を交換する際には、まず、支軸１２を除去する。
【００５３】
次に、図８（ａ）に示すように、交換用治具５０を、支軸１２を除去した筐体１０に装着する。具体的には、交換用治具５０の支軸形成壁面当接部５３を筐体１０の支軸形成壁面２２に面接触させ、かつ交換用治具５０の上面当接部５４を筐体１０の上面２３に面接触させ、かつ交換用治具５０の後端壁面当接部５５を筐体１０の後端壁面２６に面接触させる。このように交換用治具５０を筐体１０に装着することで、交換用治具５０は筐体１０に対して左右方向、前後方向及び深さ方向において位置決めされ、所定の作業位置に固定される。
【００５４】
その後、図８（ｂ）に示すように、交換用治具５０の指標５１を目印として穿孔４１を設ける。具体的には、交換用治具５０における指標５１が設けられた位置に、板材ごと支軸壁部２１に穿孔４１を設ける。かかる構成により、指標５１に対向する筐体１０の壁面である支軸壁部２１に穿孔４１が設けられることとなる。
【００５５】
ここで、交換用治具５０の指標５１は、この位置を基準にして穿孔４１を設けることにより、交換用支軸３０が、上述した支軸位置に適正に配置されることとなるような案内機能を有している。
【００５６】
そして、交換用治具５０を筐体１０から取り外せば、上記実施例１の工程Ｂ（図５（ａ）参照）と同様に穿孔４１が筐体１０に設けられたこととなる。
【００５７】
その後は上記実施例１と同様にして、穿孔４１に交換用支軸３０の挿入部３６を挿入することで支軸１２の交換作業が終了する。なお、取り外した交換用治具５０は再利用することも可能である。
【００５８】
〔実施例３〕
また、交換用治具５０を用いて筐体１０に穿孔４１を設けた後、図９，図１０に示すように、交換用治具５０を取り外すことなく交換用支軸３０を交換用治具５０の上から挿入してもよい。
【００５９】
かかる構成を採用する場合は、交換用支軸３０の埋設部３２の軸線方向の長さ、並びに、支軸本体３１と傘部３５との離間距離が、支軸壁部２１の壁厚と交換用治具５０の指標５１の位置に対応する板厚との和に等しくなるように設定される。
【００６０】
なお、一般的に、メーターボックス１の筐体１０の開口と蓋体１３との間には、土砂等が噛むことを防止すべくクリアランスが設けられているところ、交換用治具５０の板厚が当該クリアランスよりも薄い寸法であれば、交換用治具５０を筐体１０に取り付けたまま交換用支軸３０を適正に取り付けることができる。
【００６１】
〔実施例４〕
以下に、実施例４について説明する。上記実施例１〜実施例３と同様の構成を有するものは同じ符号を付し、説明を省略する。
【００６２】
まず、交換用治具５０の各部位を筐体１０の所定の壁面に当接させて交換用治具５０を筐体１０に対して位置決めする。この交換用治具５０を固定することが本発明の工程Ｄに相当する。
【００６３】
その後、交換用治具５０の指標５１を目印として穿孔４１を設ける。すなわち、交換用治具５０における指標５１が設けられた部分で板材ごと支軸壁部２１に穿孔４１を設ける。この支軸壁部２１に穿孔４１を設けることが本発明の工程Ｅに相当する。
【００６４】
そして、交換用治具５０を取り外した後、図５（ｂ），図６に示したように、交換用支軸３０の挿入部３６を穿孔４１に挿入する。交換用支軸３０の挿入部３６における抜け止め部３３の傘部３５が支軸壁部２１における支軸形成壁面２２の裏面側に抜けることにより、交換用支軸３０は支軸壁部２１に設けられた穿孔４１から抜くことができなくなり、交換用支軸３０は筐体１０の支軸壁部２１に固定される。これにより、交換用支軸３０の支軸本体３１が新たな支軸として機能する。この交換用支軸３０を穿孔４１に挿入する工程が本発明の工程Ｆに相当する。
【００６５】
本実施例は、支軸１２を除去する工程が含まれていない。このように、仮に支軸１２が欠損していた場合には、除去工程を省略して交換作業を行ってもよい。
【００６６】
〔実施例５〕
上記実施例４においても上記実施例３と同様に、筐体１０に穿孔４１を設けた後、図９，図１０に示すように、交換用治具５０を取り外すことなく、交換用支軸３０を交換用治具５０の上から挿入して相互を固定するようにしてもよい。
【００６７】
〔実施例６〕
また、交換用支軸３０と交換用治具５０とを共に筐体１０に固定する構成にあって、交換用治具５０における指標５１が刻設された面に、交換用支軸３０の支軸本体３１を下から支持する支持部が設けられていてもよい。
【００６８】
例えば図１１に示すように、指標５１を中心として交換用支軸３０の支軸本体３１の外径に等しい内径を有する凹部５７が支持部として設けられている交換用治具６０が提案される。
【００６９】
さらに詳述すると、交換用治具６０を用いて支軸２１の交換を行った場合には、図１２に示すように、交換用支軸３０の支軸本体３１の外周面の一部が、交換用治具６０の凹部５７の周縁に嵌合する。これによって支軸本体３１が下から支持されることとなり、交換用支軸３０が折れてしまったり、穿孔４１から外れてしまったりするおそれを低減することができる。
【００７０】
なお、上述した交換用支軸３０と、交換用治具５０，６０とによってメーターボックス１の支軸交換セットが構成される。このように、交換用支軸３０と、交換用治具５０，６０とを一組とすることにより、支軸１２を交換する場合にも筐体１０そのものを交換する必要がなく、迅速に対応できる。
【００７１】
また、メーターボックス１と、交換用支軸３０と、交換用治具５０，６０とによってメーターボックスセットが構成される。このように、メーターボックス１と、交換用支軸３０と、交換用治具５０，６０とを一組とすることにより、低コストで支軸１２を迅速に交換することができる。
【００７２】
〔実施例７〕
以下に、実施例７について説明する。上記実施例１〜実施例６と同様の構成を有するものは説明を省略する。
【００７３】
本実施例は、これまでに述べた交換用支軸３０を取付用支軸として採用したメーターボックス１の製造方法の一例である。
【００７４】
具体的には、新規に筐体１０を製造する過程において、まず筐体１０の本体を構成する箱部材（図示省略）を押出成形して得る。なお、かかる箱部材には、支軸１２に対応するものは形成されていない。
【００７５】
次に、前記箱部材に対して、穿孔を形成する。この穿孔は、前記取付用支軸の挿入部が挿入されるものであって、取付用支軸が支軸１２となる支軸位置に配置されたときに該取付用支軸の挿入部が挿入される位置に穿つ。かかる工程が本発明の工程Ｇに相当する。
【００７６】
そして、前記取付用支軸の挿入部を前記穿孔に挿入して前記取付用支軸を箱部材に固定することで、支軸１２を有する筐体１０が得られる。かかる工程が本発明の工程Ｈに相当する。
【００７７】
かかる構成とすることにより、例えば箱部材の材料と支軸１２の材料とを異ならせた筐体１０を備えるメーターボックス１を提供することが可能となる。
【００７８】
〔実施例８〕
以下に、実施例８について説明する。上記実施例１〜実施例７と同様の構成を有するものは説明を省略する。
【００７９】
本実施例は、これまでに述べた交換用治具５０，６０を取付用治具として採用したメーターボックス１の製造方法の一例である。
【００８０】
具体的には、メーターボックス１の筐体１０を製造する過程で、まず、前記取付用治具を箱部材の壁面に当接させて位置決めすることで、前記取付用治具を前記箱部材における所定の作業位置に固定する。
【００８１】
次に、前記作業位置に固定されている取付用治具に設けられた穿孔予定部に基づいて該穿孔予定部に対向する箱部材の壁面に穿孔を設ける。
【００８２】
そして、前記取付用支軸の挿入部を前記穿孔に挿入して前記取付用支軸を箱部材に固定することで、支軸１２を有する筐体１０が得られる。
【００８３】
かかる構成とすることにより、支軸１２を迅速取り付けることが可能となる。
【００８４】
なお、本発明は上記実施例に限定されることはなく、例えば各部の寸法形状は適宜自由に選択可能である。また、穿孔予定部としての指標５１は、上記構造に限らず、例えば貫通孔で構成されていたり、案内用の溝で構成されていたりしても構わない。
【００８５】
また、交換用治具５０，６０を位置決めしたときに当接する筐体１０の壁面は、他の位置の壁面であっても構わない。例えば、交換用治具を筐体１０の蓋体支持受面２４に当接させる構成であってもよい。さらに、図１３に示すように、交換用支軸３０を筐体１０に取り付けた後に、メーターボックス１の使用時に邪魔になる交換用治具５０，６０の一部を切除してもよい。
【００８６】
また、交換用支軸３０の抜け止め部３３の形状も、上記した実施例に限定されることはなく、交換用支軸３０が筐体１０から容易に外れない構造であれば適宜選択可能である。
【符号の説明】
【００８７】
１                メーターボックス
１０              筐体
１２              支軸
１３              蓋体
３０              交換用支軸
３６              挿入部
４１              穿孔
５０，６０        交換用治具
５１              指標（穿孔予定部）
【図１】
0006645899.tif 000002
【図２】
0006645899.tif 000003
【図３】
0006645899.tif 000004
【図４】
0006645899.tif 000005
【図５】
0006645899.tif 000006
【図６】
0006645899.tif 000007
【図７】
0006645899.tif 000008
【図８】
0006645899.tif 000009
【図９】
0006645899.tif 000010
【図１０】
0006645899.tif 000011
【図１１】
0006645899.tif 000012
【図１２】
0006645899.tif 000013
【図１３】
0006645899.tif 000014